(57)【要約】【課題】タイルカーペットを効率良く洗浄することができるタイルカーペットの洗浄方法を提供する。【解決手段】タイルカーペットを洗浄槽に収納してタイルカーペットを洗浄液に浸漬させ、その後、洗浄槽を密閉し、次いで、洗浄槽の内部を脱気することを特徴とする。タイルカーペットを洗浄液に浸漬させた後に、タイルカーペットに超音波を照射することが好ましい。タイルカーペットを洗浄槽に収納する前に、タイルカーペットを起毛させることが好ましい。【選択図】　なし【特許請求の範囲】
【請求項１】
洗浄槽の内部でタイルカーペットを洗浄液に浸漬し、その後、上記洗浄槽を密閉し、次いで、上記洗浄槽の内部を脱気することを特徴とするタイルカーペットの洗浄方法。
【請求項２】
上記タイルカーペットを上記洗浄液に浸漬する前に、上記タイルカーペットを起毛させる請求項１に記載のタイルカーペットの洗浄方法。
【請求項３】
上記タイルカーペットを上記洗浄槽の内部に収納した後に、上記タイルカーペットに超音波を照射する請求項１又は２に記載のタイルカーペットの洗浄方法。
【発明の詳細な説明】
【０００１】
【発明の属する技術分野】
本発明は、タイルカーペットの洗浄方法に関する。更に詳しくいえば、歩行等により汚れたタイルカーペットをより効率よく洗浄するタイルカーペットの洗浄方法に関する。本発明は、オフィス等に使用されるタイルカーペットの洗浄に好適である。
【０００２】
【従来の技術】
近年、オフィスや店舗の床の装飾として、カーペット様の表面をもった小片状のタイルであるタイルカーペットが多用されている。このタイルカーペットを床の広さ、形状に合わせて敷き詰めることにより、様々な形状の床面に対しても容易にあたかも床全面にカーペットを敷き詰めたような効果を与えると共に、複数の異なるタイルカーペットを組み合わせることにより、様々な模様を演出できる利点がある。そして従来は、タイルカーペットが汚れると、通常のカーペットと同様に床から外すことなく洗浄液を床に吹きつけながらブラシ等で擦り、その直後に洗浄液を回収する洗浄機により洗浄する方法が採られている。
【０００３】
【発明が解決しようとする課題】
しかし、タイルカーペット等には、通常のカーペットと同様にパイルの付け根及びその付近にダストポケットがあり、このダストポケットに埃や土砂等の汚れが入り込んでいることが多い。そのため、タイルカーペットが床に置かれたままでは、この汚れに対応するための十分な洗浄液を使用することが困難であり、また、洗浄液がパイルの奥まで浸透しにくいことから、タイルカーペットの表面付近のみしか洗浄できず、タイルカーペットを奥まで完全に洗浄することが困難であった。かかる観点から、タイルカーペットを床から外して洗浄する方法が試みられているが、床から外したタイルカーペットを洗浄槽内の洗浄液に浸漬したときに、このタイルカーペットの表面又は内部に空気が付着し、この空気によって洗浄液が内部まで渡るのが妨害され、洗浄液の本来の効果が発揮できないという問題がある。
【０００４】
本発明は上記問題点を解決するためになされたものであり、タイルカーペットをより効率良く洗浄することができるタイルカーペットの洗浄方法を提供することを目的とする。
【０００５】
【課題を解決するための手段】
本発明のタイルカーペットの洗浄方法は、洗浄槽の内部でタイルカーペットを洗浄液に浸漬し、その後、上記洗浄槽を密閉し、次いで、上記洗浄槽の内部を脱気することを特徴とする。
また、本発明のタイルカーペットの洗浄方法では、上記タイルカーペットを上記洗浄液に浸漬した後に、上記タイルカーペットに超音波を照射することができる。
更に、本発明のタイルカーペットの洗浄方法では、上記タイルカーペットを上記洗浄液に浸漬する前に、上記タイルカーペットを起毛させることができる。
【０００６】
【発明の効果】
本発明のタイルカーペットの洗浄方法によれば、脱気することにより、タイルカーペットの内部に存在する空気が除去されるので、タイルカーペットの内部に洗浄液が浸透し、これにより、洗浄する性能を向上させることができる。また、本発明のタイルカーペットの洗浄方法において、脱気した状態で洗浄液に浸漬されたタイルカーペットに超音波を照射した場合は、タイルカーペットの表面又は内部にある空気が充分に除去され洗浄液が充分に浸透した状態で超音波を照射するので、より洗浄する性能が優れたものとすることができる。また更に、本発明のタイルカーペットの洗浄方法において、タイルカーペットを洗浄槽の内部に配置する前に起毛を行った場合は、タイルカーペットのダストポケットが開いた状態になり、洗浄液に浸漬されたときに、洗浄液がパイルの付け根付近に十分に行き渡ると共に汚れが放出されやすくなるので、より洗浄する性能が優れたものとすることができる。また、洗浄槽内部に攪拌手段を有する場合は、より洗浄する性能が優れた洗浄方法とすることができる。
【０００７】
【発明の実施の形態】
以下、本発明を詳細に説明する。
本発明のタイルカーペットの洗浄方法では、まず、洗浄液及びタイルカーペットを洗浄槽の内部に収納してタイルカーペットに洗浄液を浸漬させる。ここで、「タイルカーペットに洗浄液を浸漬させ」るとは、タイルカーペットに洗浄液が浸漬されていればその浸漬方法に限定はない。例えば、タイルカーペットと洗浄液を同時に上記洗浄槽に収納する他、予め洗浄液を貯留した上記洗浄槽にタイルカーペットを収納したり、逆に予めタイルカーペットを内部に収納した上記洗浄槽に洗浄液を注入してもよい。
【０００８】
上記洗浄液は、水系の洗浄剤でも溶剤系の洗浄剤でもよく、必要に応じて種々の種類の洗浄剤を用いることができるが、本発明のタイルカーペットの洗浄方法において、上記洗浄槽では後述する脱気を行うので、揮発性の高い低沸点の溶剤を含有する洗浄剤は好ましくなく、水系の洗浄剤が好ましい。上記洗浄液の種類としては、例えば、酸性洗浄剤、界面活性剤、中性洗剤、アルカリ洗浄剤等が挙げられる。この酸性洗浄剤としては、例えば、クエン酸、リンゴ酸又は塩酸等を含むもの等が挙げられる。これらは１種単独で用いても良いし、２種以上を併用しても良い。また、界面活性剤としては、アルキルベンゼンスルホン酸ナトリウム等が挙げられる。これらは１種単独で用いても良いし、２種以上を併用しても良い。更に、中性洗浄剤としては、キレート剤、ピルダーを主とするもの等が挙げられる。これらは１種単独で用いても良いし、２種以上を併用しても良い。また、アルカリ洗浄剤としては、水酸化カリウム、ケイ酸ナトリウム、次亜塩素酸ナトリウム等の無機アルカリや、アミン成分を含むもの等が挙げられる。これらは１種単独で用いても良いし、２種以上を併用しても良い。
また、本発明の上記洗浄液は、液状の洗浄剤だけでなく、固形状の洗浄剤を水等の溶媒に溶解させたものも含まれる。よって、本発明の洗浄方法において、上記洗浄液を調製する場合は、液状の洗浄剤や固形状の洗浄剤を水等の溶媒に溶解させたものを注入するだけでなく、固形状の洗浄剤を上記洗浄槽の内部に入れた後、水等の溶媒を注入する場合も含まれる。好ましくは水系の洗浄液である。
【０００９】
上記タイルカーペットとしては、オフィス等に使用されるタイルカーペット、並びに家庭用或いは業務用のタイルカーペット及び玄関マット等が挙げられる。これらのうち、本発明では、特にタイルカーペットの洗浄に最も適している。また、通常、タイルカーペットのパイルは、タイルカーペットの上を人が歩行すること等により倒れた状態となっている。よって、上記タイルカーペットを上記洗浄槽に収納する前に、上記タイルカーペットを起毛させると、倒れた状態となっているパイルにより塞がれていたダストポケットを開放することができ、その結果、洗浄によってタイルカーペットの汚れを十分に除去することができるので好ましい。上記「起毛」とは、タイルカーペットの上を歩行すること等により倒れた状態となっているタイルカーペットのパイルを立った状態にすることを意味する。この起毛を行う方法は特に限定されないが、例えば、（１）ブラシで目縦を行う、或いは、（２）掃除機等で吸引する等が挙げられる。
【００１０】
本発明のタイルカーペットの洗浄方法で使用される装置の一例を示す。例えば、上記洗浄槽の内部で上記タイルカーペットに上記洗浄液を浸漬させた後、上記洗浄槽を密閉する。このような密閉手段については、密閉できる限り特に限定はないが、例えば、タイルカーペット及び洗浄液等を出し入れするための開平扉が設けられた箱形もの等が挙げられる。また、密閉の程度についても、以下に詳述する脱気による減圧状態を維持することができる限り特に限定はない。本発明のタイルカーペットの洗浄方法では、上記洗浄槽の外部と内部とを完全に遮断し、完全に密閉するのが好ましいが、ある程度上記洗浄槽の外部と内部とを遮断して減圧状態を維持できる程度でもよい。
【００１１】
次に、本発明のタイルカーペットの洗浄方法では、上記洗浄槽の内部の脱気を行う。上記「脱気」により、タイルカーペットの内部に存在する空気を除去することができる。その結果、洗浄液がタイルカーペットの内部まで十分に浸透し、洗浄性を高めることができる。また、後述のように超音波の照射を行う場合でも、効果的に照射できる結果、洗浄性をより高めることができる。上記脱気によって洗浄槽の内部をどの程度とするかは、必要に応じて種々の範囲とすることができる。通常、上記脱気によって、洗浄槽の内部の気圧を５〜９０ｋＰａ、より好ましくは２０〜７０ｋＰａとするができる。かかる範囲とすることにより、タイルカーペット内部の汚れを十分に除去することができるので好ましい。
【００１２】
また、本発明のタイルカーペットの洗浄方法では、タイルカーペットを洗浄槽の内部に収納した後に、このタイルカーペットに超音波を照射することができる。このような超音波照射によって、タイルカーペットの内部の汚れを十分に除去することができるので好ましい。この超音波を照射する時期は、タイルカーペットを洗浄槽の内部に収納した後であれば特に限定されず、例えば、（１）洗浄槽の内部でタイルカーペットを洗浄液に浸漬した後、洗浄槽を密閉する前、（２）洗浄槽を密閉した後、その洗浄槽の内部の脱気を行う前、（３）洗浄槽の内部の脱気を行っている最中、（４）洗浄槽の内部が脱気され、この減圧状態が保持されているとき、又は（５）この減圧状態が解除された後等とすることができる。また、本発明のタイルカーペットの洗浄方法では、異なる時期に２回以上超音波の照射を行ってもよい。更に、上記（１）〜（５）の時期、あるいは上記（１）〜（５）のうちの連続する２以上の時期を通じて超音波を継続的に照射してもよい。
【００１３】
上記超音波の照射の条件（例えば、超音波の周波数、照射時間、強度等）については特に限定はなく、タイルカーペットの種類、大きさ、汚れの量等に応じて種々の条件で照射することができる。例えば、この超音波の周波数は、通常２０〜４０ｋＨｚ、好ましくは２５〜３０ｋＨｚとすることができる。超音波の周波数を上記範囲とすると、タイルカーペットに存在する汚れを十分に除去することができると共に、洗浄液の揮発を防ぐことができるので好ましい。
【００１４】
また、本発明のタイルカーペットの洗浄方法では、タイルカーペットを洗浄液に浸漬した後、ファン型の攪拌機等の攪拌手段によって洗浄液を攪拌することができる。これにより、洗浄効率を向上させることができるので好ましい。この洗浄液を攪拌する時期は、タイルカーペットを洗浄液に浸漬した後であれば特に限定されず、例えば、（１）洗浄槽の内部でタイルカーペットを洗浄液に浸漬した後、洗浄槽を密閉する前、（２）洗浄槽を密閉した後、その洗浄槽の内部の脱気を行う前、（３）洗浄槽の内部の脱気を行っている最中、（４）洗浄槽の内部が脱気され、この減圧状態が保持されているとき、又は（５）この減圧状態が解除された後等とすることができる。また、本発明のタイルカーペットの洗浄方法では、異なる時期に２回以上洗浄液の攪拌を行ってもよい。更に、上記（１）〜（５）の時期、あるいは上記（１）〜（５）のうちの連続する２以上の時期を通じて洗浄液の攪拌を行ってもよい。
【００１５】
【実施例】
以下、本発明を具体化した実施例について説明する
【００１６】
（１）洗浄方法
▲１▼実施例１
５年間実際に使用されたタイルカーペット（５０ｃｍ×５０ｃｍ）５枚を洗浄液に浸漬するように洗浄槽（縦０．７５ｍ、横１．５ｍ、高さ１．０ｍ、）に収納し、真空脱気を行いながら超音波洗浄を行った。このとき、真空脱気は１０分間行い、洗浄槽２の内部の気圧を５０ｋＰａとした。また、超音波洗浄は２０分間行った。更に、洗浄液としてユシロ化学工業株式会社製、商品名「ポリーズＹＣＭ−ＥＸ」の５倍希釈液を用いた。
▲２▼実施例２
実施例１のタイルカーペットと同じ場所で同じ日数の間実際に使用されたタイルカーペットを（５０ｃｍ×５０ｃｍ）５枚をブラシによる目立てを行い、その後、実施例１と同じ装置及び同じ方法でタイルカーペットの洗浄を行った。
【００１７】
▲１▼比較例１
本実施例と同じ形のタイルカーペット（実施例１のタイルカーペットと同じ場所で実施例１と同じ日数の間実際に使用されたもの）５枚を床に保持した状態で洗浄液を吹き付けて洗浄し、その直後、洗浄液を回収する洗浄機（アスカ社製、商品名「サーマックスＣＰ−３」）によりタイルカーペットを洗浄した。洗浄液としてはユシロ化学工業株式会社製、商品名「ポリーズＹＣＭ−ＥＸ」の５倍希釈液を用いた。
▲２▼比較例２
本実施例で使用した洗浄装置に実施例１、２と同じ形のタイルカーペット（実施例１のタイルカーペットと同じ場所で同じ日数の間実際に使用されたもの）５枚を洗浄液に浸漬するように洗浄槽２に収納し、真空脱気を行うことなく、２０分間超音波洗浄を行った。このとき、洗浄液としてユシロ化学工業株式会社製、商品名「ポリーズＹＣＭ−ＥＸ」の５倍希釈液を用いた。
【００１８】
（３）性能評価
上記実施例１及び２並びに比較例１及び２の洗浄後の洗浄液を濾過することにより、タイルカーペットから除去された汚れ（土砂、埃等）を回収し、その質量を実際に洗浄したタイルカーペットの数で割り算して求めた洗浄量に基づいて性能評価を行った。その結果を以下の表１に示す。
【００１９】
【表１】
2004016847.tif 000002
【００２０】
（４）実施例の効果
表１によれば、タイルカーペットを床から取り外すことなく洗浄を行った場合（比較例１）、タイルカーペット１枚あたりの洗浄量が０．８ｇである。これにより、タイルカーペットを床から取り外すことなく洗浄を行う方法は洗浄性能が良くないことが判る。また、タイルカーペットを床から取り外し、洗浄槽で洗浄液に浸漬して超音波洗浄した場合であっても、洗浄槽の内部の脱気を行わなかった場合（比較例２）、タイルカーペット１枚あたりの洗浄量が０．８ｇである。これにより、洗浄槽の真空脱気を行わない場合もまた洗浄性能が良くないことが判る。
【００２１】
これに対し、洗浄槽で洗浄液に浸漬して、真空脱気を行いながら超音波洗浄を行った場合（本実施例）、タイルカーペット１枚あたりの洗浄量は７５ｇ以上である。これにより、洗浄槽の真空脱気を行った場合は洗浄性能が極めて優れていることが判る。特に、洗浄槽に収納して洗浄液に浸漬する前にタイルカーペットの目立てを行った場合、タイルカーペット１枚あたりの洗浄量は１００ｇであった。これにより、洗浄を行う前に起毛を行うと、更に洗浄性能が良くなることが判る。
【００２２】
尚、本発明は、上記の具体的な実施例に記載されたものに限らず、目的及び用途に応じて、本発明の範囲内で種々変更した実施例とすることができる。